【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
ビルディング機器のためのモデル予測的メンテナンスシステムであって、
前記ビルディング機器を動作させて、ビルディングでの可変状態又は状況に影響を与えるように構成された機器コントローラと、
最適化期間の継続期間にわたって前記ビルディング機器を動作させるコストを予測するように構成された動作コスト予測器と、
前記最適化期間の前記継続期間にわたって前記ビルディング機器に対するメンテナンスを実施するコストを予測するように構成されたメンテナンスコスト予測器と、
目的関数を最適化して、前記最適化期間の前記継続期間にわたる前記ビルディング機器に関連する総コストを予測するように構成された目的関数オプティマイザと
を含み、
前記目的関数は、前記ビルディング機器を動作させる前記予測されたコストと、前記ビルディング機器に対するメンテナンスを実施する前記予測されたコストとを含む、モデル予測的メンテナンスシステム。
【請求項２】
前記最適化期間の前記継続期間にわたって前記ビルディング機器を購入又は交換するコストを予測するように構成された資本コスト予測器をさらに含み、
前記目的関数は、前記ビルディング機器を購入又は交換する前記予測されたコストをさらに含む、請求項１に記載のモデル予測的メンテナンスシステム。
【請求項３】
前記ビルディング機器からの閉ループフィードバックに基づいてリアルタイムベースで前記目的関数を動的に更新するように構成された目的関数生成器をさらに含む、請求項１に記載のモデル予測的メンテナンスシステム。
【請求項４】
前記メンテナンスコスト予測器は、前記最適化期間の各時間中に前記ビルディング機器に対してメンテナンスが実施されるかどうかを示す複数のバイナリ決定変数の関数として、前記ビルディング機器に対するメンテナンスを実施する前記コストを予測するように構成される、請求項１に記載のモデル予測的メンテナンスシステム。
【請求項５】
前記動作コスト予測器は、
前記最適化期間の各時間ステップにおいて前記ビルディング機器の動作効率を決定し、
前記最適化期間の各時間ステップにおいて前記動作効率の関数として前記ビルディング機器を動作させる前記コストを予測する
ように構成される、請求項１に記載のモデル予測的メンテナンスシステム。
【請求項６】
前記動作コスト予測器は、
前記ビルディング機器からのフィードバックとして受信された機器性能情報を使用して、前記ビルディング機器の初期動作効率を決定し、
前記最適化期間の連続する時間ステップ間で動作効率が低下する量を定義する効率低下係数を識別し、
前記初期動作効率及び前記効率低下係数を使用して、前記最適化期間の各時間ステップにおける前記ビルディング機器の動作効率を決定する
ように構成される、請求項１に記載のモデル予測的メンテナンスシステム。
【請求項７】
前記目的関数は、前記最適化期間の各時間中に前記ビルディング機器に対してメンテナンスが実施されるかどうかを示す複数のバイナリ決定変数を含み、
前記動作コスト予測器は、メンテナンスが実施されることを前記バイナリ決定変数が示す各時間ステップにおいて、前記ビルディング機器の前記動作効率を、メンテナンス後の効率値にリセットするように構成される、請求項６に記載のモデル予測的メンテナンスシステム。
【請求項８】
ビルディング機器のためのモデル予測的メンテナンスシステムであって、
前記ビルディング機器を動作させて、ビルディングでの可変状態又は状況に影響を与えるように構成された機器コントローラと、
最適化期間の継続期間にわたって前記ビルディング機器に対するメンテナンスを実施するコストを、前記最適化期間の各時間中に前記ビルディング機器に対してメンテナンスが実施されるかどうかを示す複数のバイナリ決定変数の関数として予測するように構成されたメンテナンスコスト予測器と、
目的関数を最適化して、前記最適化期間の前記継続期間にわたる前記ビルディング機器に関連する総コストを予測するように構成された目的関数オプティマイザと
を含み、
前記目的関数は、前記ビルディング機器に対するメンテナンスを実施する前記予測されたコストを含む、モデル予測的メンテナンスシステム。
【請求項９】
前記メンテナンスコスト予測器は、
前記ビルディング機器からのフィードバックとして受信された機器性能情報を使用して、前記最適化期間の各時間ステップにおける前記ビルディング機器の信頼性を決定し、
前記最適化期間の各時間ステップにおける前記ビルディング機器の前記信頼性に基づいて、前記バイナリ決定変数に関する値を決定する
ように構成される、請求項８に記載のモデル予測的メンテナンスシステム。
【請求項１０】
前記最適化期間の前記継続期間にわたって前記ビルディング機器を購入又は交換するコストを予測するように構成された資本コスト予測器をさらに含み、
前記目的関数は、前記ビルディング機器を購入又は交換する前記予測されたコストをさらに含む、請求項８に記載のモデル予測的メンテナンスシステム。
【請求項１１】
前記バイナリ決定変数の関数として、前記最適化期間の前記継続期間にわたって前記ビルディング機器を動作させるコストを予測するように構成された動作コスト予測器をさらに含み、
前記目的関数は、前記ビルディング機器を動作させる前記予測されたコストをさらに含む、請求項８に記載のモデル予測的メンテナンスシステム。
【請求項１２】
前記動作コスト予測器は、
前記最適化期間の各時間ステップにおける前記ビルディング機器の動作効率を決定し、
前記最適化期間の各時間ステップにおける前記動作効率の関数として、前記ビルディング機器を動作させる前記コストを予測する
ように構成される、請求項１１に記載のモデル予測的メンテナンスシステム。
【請求項１３】
前記動作コスト予測器は、
前記ビルディング機器からのフィードバックとして受信された機器性能情報を使用して、前記ビルディング機器の初期動作効率を決定し、
前記最適化期間の連続する時間ステップ間で動作効率が低下する量を定義する効率低下係数を識別し、
前記初期動作効率及び前記効率低下係数を使用して、前記最適化期間の各時間ステップにおける前記ビルディング機器の動作効率を決定する
ように構成される、請求項１１に記載のモデル予測的メンテナンスシステム。
【請求項１４】
前記動作コスト予測器は、メンテナンスが実施されることを前記バイナリ決定変数が示す各時間ステップにおいて、前記ビルディング機器の前記動作効率を、メンテナンス後の効率値にリセットするように構成される、請求項１３に記載のモデル予測的メンテナンスシステム。
【請求項１５】
ビルディング機器のためのモデル予測的メンテナンスシステムであって、
前記ビルディング機器を動作させて、ビルディングでの可変状態又は状況に影響を与えるように構成された機器コントローラと、
最適化期間の継続期間にわたって前記ビルディング機器を動作させるコストを予測するように構成された動作コスト予測器と、
前記最適化期間の前記継続期間にわたって前記ビルディング機器に対するメンテナンスを実施するコストを予測するように構成されたメンテナンスコスト予測器と、
目的関数を最適化して、前記最適化期間の前記継続期間にわたって前記ビルディング機器を動作及びメンテナンスするための最適な戦略を決定するように構成された目的関数オプティマイザと
を含み、
前記目的関数は、前記ビルディング機器を動作させる前記予測されたコストと、前記ビルディング機器に対するメンテナンスを実施する前記予測されたコストとを含む、モデル予測的メンテナンスシステム。
【請求項１６】
前記動作コスト予測器は、前記最適化期間の各時間ステップ中の前記ビルディング機器の予測されるエネルギー消費量の関数として、前記ビルディング機器を動作させる前記コストを予測するように構成され、
前記メンテナンスコスト予測器は、前記最適化期間の各時間中に前記ビルディング機器に対してメンテナンスが実施されるかどうかを示す複数のバイナリ決定変数の関数として、前記ビルディング機器に対するメンテナンスを実施する前記コストを予測するように構成され、
前記目的関数オプティマイザは、前記目的関数を最適化して、バイナリ決定変数に関する最適値を決定するように構成される、請求項１５に記載のモデル予測的メンテナンスシステム。
【請求項１７】
前記動作コスト予測器は、
前記最適化期間の各時間ステップにおいて前記ビルディング機器の動作効率を決定し、
前記最適化期間の各時間ステップ中の前記動作効率の関数として、前記最適化期間の各時間ステップ中の前記ビルディング機器の前記エネルギー消費量を予測する
ように構成される、請求項１６に記載のモデル予測的メンテナンスシステム。
【請求項１８】
前記動作コスト予測器は、
前記ビルディング機器からのフィードバックとして受信された機器性能情報を使用して、前記ビルディング機器の初期動作効率を決定し、
前記最適化期間の連続する時間ステップ間で動作効率が低下する量を定義する効率低下係数を識別し、
前記初期動作効率及び前記効率低下係数を使用して、前記最適化期間の各時間ステップにおける前記ビルディング機器の動作効率を決定する
ように構成される、請求項１６に記載のモデル予測的メンテナンスシステム。
【請求項１９】
前記動作コスト予測器は、メンテナンスが実施されることを前記バイナリ決定変数が示す各時間ステップにおいて、前記ビルディング機器の前記動作効率を、メンテナンス後の効率値にリセットするように構成される、請求項１８に記載のモデル予測的メンテナンスシステム。
【請求項２０】
前記最適化期間の前記継続期間にわたって前記ビルディング機器を購入又は交換するコストを予測するように構成された資本コスト予測器をさらに含み、
前記目的関数は、前記ビルディング機器を購入又は交換する前記予測されたコストをさらに含む、請求項１６に記載のモデル予測的メンテナンスシステム。